(57)【要約】【課題】ふとんなどの乾燥や暖めに使用されるふとん乾燥機において、上部空間の速やかな水はけを目的とする。【解決手段】本体ケース１内には、送風手段であるファン４と、ファン４の吹き出し空気を加熱するヒータ部５と、ヒータ部５によって加熱された空気の送風路である筒形状の屈曲自在なホース６を備え、平方向に延びた仕切板部１０により、本体ケース１の上部で開口部３と連通した上部空間１２と本体ケース１の下部で、ファン４およびヒータ部５を備えた下部空間１１とに分けられ、仕切板部１０に、その短手方向に延びた第１の傾斜面１４ａおよび第２の傾斜面１４ｂを有し、万が一、使用者の不注意等で本体ケース１に水がかかった場合にも、仕切板部１０上に溜まることなく速やかに水はけし、充電部への水付着を防ぎ、結果として、使用者の安全を確保することができる。【選択図】図４
2017029500.tif 000002
【特許請求の範囲】
【請求項１】
吸気口を有した箱形状の本体ケースと、前記本体ケース内を上部空間と下部空間とに仕切り、上下方向に開口した孔を備えた仕切板部と、前記下部空間に設けたファンとヒータ部と、前記上部空間に設けたホースと吹出口を有したノズル部と、前記ヒータ部と前記ホースとを連結する連結部とを備え、前記連結部は前記孔を通るように前記仕切板部に備え、前記仕切板部は、上から見ると矩形で、短手方向に延びた傾斜面を有することを特徴とするふとん乾燥機。
【請求項２】
前記仕切板部は、第１の仕切板部と第２の仕切板部とを備え、前記第１の仕切板部は、上から見ると矩形で、一方側寄りに半円形状の第１の半円切欠きを有し、前記第２の仕切板部は、前記第１の仕切板部が嵌る矩形の第２の矩形切欠きと、前記第２の矩形切欠きに前記第１の仕切板部を嵌めた場合に前記第１の半円切欠きと連通し前記孔を形成する半円形状の第２の半円切欠きを有し、前記第２の仕切板部は、前記第２の半円切欠きを有する前記第２の矩形切欠きの他方寄り端部である他方側端部の下方から前記第１の仕切板部の下方で、前記仕切板部における短手方向に延びた前記傾斜面の一部である受け部を備えたことを特徴とする請求項１に記載のふとん乾燥機。
【請求項３】
前記ヒータ部は、ヒータと、前記ヒータを内部に備えたヒータケースとを備え、前記ヒータケースの上面には、前記仕切板部における短手方向に傾斜した傾斜面を有し、前記傾斜面の下端には、前記仕切板部における長手方向に傾斜した溝部を備え、前記溝部の下端は、前記本体ケースの内面に近接することを特徴とする請求項２に記載のふとん乾燥機。
【請求項４】
前記第１の仕切板部は、前記下部空間方向に伸びたリブ部を持ち、前記リブ部は、水平方向において、前記溝部と前記連結部の間に設けることを特徴とする請求項３に記載のふとん乾燥機。
【発明の詳細な説明】
【技術分野】
【０００１】
本発明は、ふとんやベッドの乾燥や暖めに使用されるふとん乾燥機に関するものである。
【背景技術】
【０００２】
従来、この種のふとん乾燥機は、本体ケース内の仕切板部が短手方向に水平なものが知られている（例えば、特許文献１参照）。
【０００３】
以下、そのふとん乾燥機について図９を参照しながら説明する。
【０００４】
図９に示すように、本体ケース１０１にファン１０２とヒータ部１０３とホース１０４を備え、ホース１０４を本体ケース１０１の外に引き出し、ホース１０４から吹出した温風を利用してふとんを乾燥している。本体ケース１０１内には、仕切板部１０５を設け、本体ケース１０１の下部である下部空間１０６と、本体ケース１０１の上部である上部空間１０７とに分けられ、下部空間１０６には、ファン１０２とヒータ部１０３を備え、上部空間１０７には、ホース１０４を備える。上部空間１０７は、本体ケース１０１の開口部と連通しており、収納時には、ホース１０４を本体ケース１０１内に収め、上部の収納フタ（図示せず）を閉じる構成となっており、下部空間１０６と上部空間１０７を隔てる仕切板部１０５は短手方向に水平となっていた。
【先行技術文献】
【特許文献】
【０００５】
【特許文献１】特開２０１１−１３０９４５号公報
【発明の概要】
【発明が解決しようとする課題】
【０００６】
このような従来のふとん乾燥機においては、ホースを引き出し、収納フタが開口されている場合に、使用者の不注意等で本体ケースの上部空間に水が掛かってしまうと、仕切板部上に水が溜まり、仕切板部と連結部の隙間や、第１の仕切板部と第２の仕切板部の隙間から、下部空間に浸水し、結果として、ファンやヒータ部といった充電部へ水が付着する可能性があるという課題を有していた。
【０００７】
そこで本発明は、上記従来の課題を解決するものであり、仕切板部の短手方向に傾斜面を設け、上部空間に水が掛かっても速やかに水はけさせることが可能なふとん乾燥機を提供することを目的とする。
【課題を解決するための手段】
【０００８】
そして、この目的を達成するために、本発明に係るふとん乾燥機は、吸気口を有した箱形状の本体ケースと、前記本体ケース内を上部空間と下部空間とに仕切り、上下方向に開口した孔を備えた仕切板部と、前記下部空間に設けたファンとヒータ部と、前記上部空間に設けたホースと吹出口を有したノズル部と、前記孔に設けられ、前記ヒータ部と前記ホースとを連結する連結部とを備え、前記連結部は前記孔を通るように前記仕切板部に備え、前記仕切板部は、上から見ると矩形で、短手方向に延びた傾斜面を有するものであり、これにより所期の目的を達成するものである。
【発明の効果】
【０００９】
本発明によれば、吸気口を有した箱形状の本体ケースと、前記本体ケース内を上部空間と下部空間とに仕切り、上下方向に開口した孔を備えた仕切板部と、前記下部空間に設けたファンとヒータ部と、前記上部空間に設けたホースと吹出口を有したノズル部と、前記孔に設けられ、前記ヒータ部と前記ホースとを連結する連結部とを備え、前記連結部は前記孔を通るように前記仕切板部に備え、前記仕切板部は、上から見ると矩形で、短手方向に延びた傾斜面を有するものであり、万が一、本体ケースに水が掛かったときにも、本体ケース内部の仕切板部上に溜まることなく、速やかに水はけし、充電部への水付着を防ぐ効果を得ることができる。
【図面の簡単な説明】
【００１０】
【図１】本発明の実施の形態のふとん乾燥機の斜視図
【図２】同ふとん乾燥機の断面図
【図３】同ふとん乾燥機におけるふとん乾燥を行う実施図
【図４】同ふとん乾燥機の仕切板部の斜視図
【図５】同ふとん乾燥機の仕切板部の分解図
【図６】同ふとん乾燥機の仕切板部およびヒータ部の部分断面図
【図７】同ふとん乾燥機のヒータ部の斜視図
【図８】同ふとん乾燥機の仕切板部の斜視図
【図９】従来のふとん乾燥機の構成を示す概略図
【発明を実施するための形態】
【００１１】
本発明に係るふとん乾燥機は、本発明によれば、吸気口を有した箱形状の本体ケースと、前記本体ケース内を上部空間と下部空間とに仕切り、上下方向に開口した孔を備えた仕切板部と、前記下部空間に設けたファンとヒータ部と、前記上部空間に設けたホースと吹出口を有したノズル部と、前記孔に設けられ、前記ヒータ部と前記ホースとを連結する連結部とを備え、前記連結部は前記孔を通るように前記仕切板部に備え、前記仕切板部は、上から見ると矩形で、短手方向に延びた傾斜面を有する構成とする。
【００１２】
これにより、万が一、本体ケースに水が掛かったときにも、本体ケース内部の仕切板部上に溜まることなく、速やかに水はけし、充電部への水付着を防ぐことが可能になる。
【００１３】
また、前記仕切板部は、第１の仕切板部と第２の仕切板部とを備え、前記第１の仕切板部は、上から見ると矩形で、一方側寄りに半円形状の第１の半円切欠きを有し、前記第２の仕切板部は、前記第１の仕切板部が嵌る矩形の第２の矩形切欠きと、前記第２の矩形切欠きに前記第１の仕切板部を嵌めた場合に前記第１の半円切欠きと連通し前記孔を形成する半円形状の第２の半円切欠きを有し、前記第２の仕切板部は、前記第２の半円切欠きを有する前記第２の矩形切欠きの他方寄り端部である他方側端部の下方から前記第１の仕切板部の下方で、前記仕切板部における短手方向に延びた受け部を備える構成としてもよい。
【００１４】
これにより、万が一、本体ケースに水が掛かり、第１の仕切板部と第２の仕切板部の間から本体ケース内部に水が入った時も、下部空間の充電部に水が付着することなく水はけすることが可能になる。
【００１５】
また、前記ヒータ部は、ヒータと、前記ヒータを内部に備えたヒータケースとを備え、前記ヒータケースの上面には、前記仕切板部における短手方向に傾斜した傾斜面を有し、前記傾斜面の下端には、前記仕切板部における長手方向に傾斜した溝部を備え、前記溝部の下端は、前記本体ケースの内面に近接する構成としてもよい。
これにより、万が一、本体ケースに水が掛かり、連結部と仕切板部の間から本体ケース内部に水が入った時も、溝部に導かれ、その下方の充電部に水がかかることなく本体ケース内壁に伝わせることが可能となる。
【００１６】
また、前記第１の仕切板部は、前記下部空間方向に伸びたリブ部を持ち、前記リブ部は、水平方向において、前記溝部と前記連結部の間に設ける構成としてもよい。
【００１７】
これにより、万が一、本体ケースに水が掛かり、第１の仕切板部と連結部の間から水が入ったときも、第１の仕切板部の下面を伝うことなくヒータケース上面に落下し、結果として、溝部に導かれ、その下方の充電部に水がかかることなく本体ケース内壁に伝わせることが可能となる。
【００１８】
以下、本発明の実施の形態について図面を参照しながら説明する。
【００１９】
（実施の形態１）
図１は、本発明の実施の形態のふとん乾燥機の斜視図である。図１は、本体ケースにおける背面側から見た図である。
【００２０】
本発明の実施の形態のふとん乾燥機は、図１に示すように、本体ケース１は、前後方向の寸法が小さい縦長箱形状で、側面の下部には吸気口２を設け、上部には吹出口９を備えている。吹出口９は、ノズル部８に設けられており、このノズル部８は本体ケース１に着脱自在な構成である。
【００２１】
図２は、本発明の実施の形態のふとん乾燥機の断面図である。図２は、本体ケースにおける背面側から見た図である。
【００２２】
図２に示すとおり、本体ケース１内には、中央部に水平方向に延びた仕切板部１０を備えている。仕切板部１０によって、本体ケース１内の空間が、本体ケース１の下部である下部空間１１と、本体ケース１の上部である上部空間１２とに分けられている。
【００２３】
下部空間１１には、送風手段であるファン４と、ヒータ部５とを備え、上部空間１２には、ホース６と、ノズル部８とを備えている。
【００２４】
下部空間１１の下部に設けられたファン４の上方には、ヒータ部５を備え、ファン４とヒータ部５とは連通している。ファン４によって、吸気口２から吸い込まれた空気は、ファン４からヒータ部５へ送風される。ヒータ部５によって、ファン４の吹き出し空気が加熱される。
【００２５】
ヒータ部５の上方には、ヒータ部５によって加熱された空気の送風路である筒形状の屈曲自在なホース６を備えている。この種のふとん乾燥機に用いられるホース６は、針金と樹脂膜で構成されたものが一般的で、リング状の針金同士が近づいたり、離れたりすることで、伸縮や屈曲をする。樹脂膜は針金間に張られており、ホースの伸縮や屈曲の際には、折りたたまれることで、ホース６の長さを調整することが可能である。そのため、ホースの断面は凹凸を持つのが一般的である。
【００２６】
ヒータ部５とホース６とは、ヒータ部５の一部である連結部７によって連結している。連結部７は、仕切板部１０の後述する孔を介して、下部空間１１から上部空間１２へ延びている。
【００２７】
ホース６の先端には、ノズル部８を備えている。ノズル部８は、箱形状で、側面にはホース６から送られた加熱された空気を送り出す吹出口９を備えている。
【００２８】
図３は本発明の実施の形態のふとん乾燥機のふとん乾燥を行う実施図である。図３は、本体ケースからノズル部を外し、ホースを引き出した状態である。
【００２９】
本体ケース１の上部には、開口部３を備えている。開口部３にノズル部が着脱可能に設けられ、開口部３と上部空間１２とは、連通している。
【００３０】
本発明の実施の形態のふとん乾燥機は、ノズル部８を本体ケース１から取り外して、ふとんの暖め、乾燥を行う場合と、ノズル部８を本体ケース１に装着した状態で、ふとん以外の靴、洗濯物乾燥を行う場合の２種類の使い方ができる。図１および図２に示すように、収納時やふとん以外の乾燥を行う場合は、ノズル部８は第１の開口部３に収められ、ノズル部８は本体ケース１の一部を形成する。図３に示すように、ふとんの暖めや乾燥を行う場合は、ノズル部８を開口部３から外し、ホース６を本体ケース１から引き出し、ノズル部８を掛けふとんと敷きふとん、もしくはマットレスとの間に設置する（ふとん、マットレスは図示せず）。
【００３１】
図４は本発明の実施の形態のふとん乾燥機の仕切板部の斜視図である。
【００３２】
仕切板部１０は上から見ると矩形で、仕切板部１０には円状で上下方向に開口した孔１３が設けられており、連結部７は、孔１３を通るように仕切板部１０に備えられている。
【００３３】
本実施形態における特徴は、仕切板部１０が、その短手方向に延びた傾斜面を有する点である。傾斜面は、第１の傾斜面１４ａと第２の傾斜面１４ｂとを備えている。
【００３４】
図２および３に示すとおり、上部空間１２は開口部３と連通し、本体ケース１に鉢状に設けられている。ふとん暖めや乾燥を使用し、ノズル部を引き出しているときに、万が一、使用者の不注意等で本体ケース１に水がかかった場合にも、仕切板部１０上に溜まることなく速やかに水はけし、充電部への水付着を防ぐ。結果として、使用者の安全を確保することができる。
【００３５】
具体的には、第１の傾斜面１４ａおよび第２の傾斜面１４ｂは、仕切板部１０の短手方向かつ下面方向に傾斜させそれぞれ独立して設ける。第２の傾斜面１４ｂは仕切板部１０の長手方向の中央部に設ける。これにより、端面に設けるよりも速やかに水はけすることが可能となる。第１の傾斜面１４ａを、仕切板部１０の長手方向の端面に設ける。これにより、下部空間１１のファン４やヒータ部５から離れた部分から水はけすることが可能となる。
【００３６】
仕切板部１０の上に水がかかった場合、第１の傾斜面１４ａもしくは第２の傾斜面１４ｂから速やかに流れ落ち、鉢状の上部空間１２に水が溜まることを防ぎ、部品同士の隙間から浸水し、充電部に水が付着することを防ぐ効果を得る。
【００３７】
図５は発明の実施の形態のふとん乾燥機の仕切板部１０の分解図である。仕切板部１０の孔１３には連結部７を通すため、図５のごとく、複数の部品で構成するのが一般的である。本実施形態の仕切板部１０は、第１の仕切板部１５と第２の仕切板部１６とで構成している。
【００３８】
第１の仕切板部１５は、上から見ると矩形で、一方側（図５における右側）寄りに半円形状の第１の半円切欠き１７を有している。
【００３９】
第２の仕切板部１６は、第１の仕切板部１５が嵌る矩形の第２の矩形切欠き１８と、第２の矩形切欠き１８に第１の仕切板部を嵌めた場合に第１の半円切欠き１７と連通し孔１３を形成する半円形状の第２の半円切欠き１９を有する。
【００４０】
第１の仕切板部１５と第２の仕切板部１６との長手方向の合わせ目における一方側（図５における右側）寄りは、第１の半円切欠き１７と第２の半円切欠き１９とが連結し、仕切板部１０の孔１３となる。
【００４１】
第１の仕切板部１５と第２の仕切板部１６との長手方向の合わせ目における他方側（図５における左側）寄りは、第１の仕切板部１５の第１の他方側端部２０ａと、第２の仕切板部１６の第２の他方側端部２０ｂを備えている。
【００４２】
第２の仕切板部１６は、第２の半円切欠き１９を有する第２の矩形切欠き１８の他方側（図５における左側）寄り端部である第２の他方側端部２０ｂの下方から第１の仕切板部１５の下方で、仕切板部１０における短手方向に端部が下がるように延びた受け部２１を備える構成とする。受け部２１は、傾斜面である第１の傾斜面１４ａの一部である。
【００４３】
これにより、万が一、本体ケース１に水が掛かり、第１の仕切板部１５と第２の仕切板部１６の組み合う端面である第２の他方側端部２０ｂから本体ケース内部に水が入った時も、受け部２１を介して、本体ケース１内壁まで誘導され、下部空間１１の充電部に水が付着することなく水はけすることができる。結果として、使用者の安全を確保することができる。
【００４４】
受け部２１について、さらに詳しく説明すると、受け部２１は第２の矩形切欠き部の他方側（図５における左側）端部に設け、その端部に第１の傾斜面１４ａを設ける。すなわち、受け部２１の斜面と第１の傾斜面１４ａは一連の斜面となり、第１の傾斜面１４ａおよび受け部２１に流れる水を傾斜面１４と受け部２１の間から流れ落とすことなく本体ケース１の内壁まで誘導することができる。
【００４５】
図６はヒータ部および仕切板部の部分断面図である。図６は本体ケース１の長手方向側面から見た断面図である。図７はヒータ部の斜視図である。
【００４６】
図６および図７に示すとおり、ヒータ部５は、ヒータ２２と、ヒータ２２を内部に備えたヒータケース２３とを備えている。ヒータケース２３の上面には、仕切板部１０における短手方向に傾斜したヒータケース傾斜面２４を有している。ヒータケース傾斜面２４の下端には、仕切板部１０における長手方向に傾斜した溝部２５を備え、溝部２５の下端は、本体ケース１の内面に近接する構成とする。
【００４７】
これにより、万が一、本体ケース１に水が掛かり、連結部７と孔１３の隙間から水が入った時も、ヒータケース傾斜面２４により下端へ誘導し、溝部２５により、本体ケース１内面へ伝わせることで、下部空間１１の充電部に水が付着することなく水はけすることができる。結果として、使用者の安全を確保することができる。
【００４８】
この溝部２５の上端は、ヒータケース２３の側面よりも溝方向内部とし、傾斜の上端には、本体ケース１の短手方向に、水平面に垂直な溝部端面２６を設け、本体ケース１内面の他方へ流出しないように構成する。
【００４９】
連結部７についてさらに詳しく説明すると、図６および図７に示すとおり、連結部７は筒形状で、その筒内面は、ねじ切り形状とする。そこにホース６の凹凸をねじ込み、ヒータ部５とホース６とを連結する。また、筒外面は第１の半円切欠き１７および第２の半円切欠き１９と連結し、これにより、連結部７が仕切板部１０の孔１３を閉鎖し、仕切板部１０とともに下部空間１１と上部空間１２を分ける構成とする。
【００５０】
また、連結部７は第１の仕切板部方向に傾斜する構成とする。連結部７を傾斜させることにより、本体構成をより自由に配置可能となる。例えば、連結部７の真上に操作部のような本体ケース１の構成部品を配置しても、連結部７を傾斜させ、ホース６の方向を調整することで、干渉を回避し、使用者の操作性を向上することができる。図５に示すとおり、第１の仕切板部１５の第１の他方側端部２０ａ側に三角形状の面である第１の仕切板部端面２７を設けると、仕切板部１０組立時に第１の仕切板部端面２７の下端と第１の傾斜面１４ａが接触し、第１の仕切板部１５が誘導されることで正規の位置に組み込みやすくなる。
【００５１】
図８は、本発明の実施の形態のふとん乾燥機の仕切板部の斜視図である。図８は第１の仕切板部１５を下方から見た斜視図である。図６および図８に示すとおり、第１の仕切板部１５は、下部空間１１方向に伸びたリブ部２８を持ち、リブ部２８は、水平方向において溝部２５と連結部７の間に設ける構成とする。これにより、万が一、本体ケース１に水が掛かり、連結部７と孔１３の隙間から水が入った時も、第１の仕切板部１５の下面を伝うことなく、ヒータケース傾斜面２４もしくは溝部２５へ導かれ、下部空間１１の充電部に水が付着することなく水はけを良くすることができる。結果として、使用者の安全を確保することができる。
【産業上の利用可能性】
【００５２】
本発明に係るふとん乾燥機は、使用者の操作性の向上を可能とするものであるので、ふとんやベッドの乾燥や暖めに使用されるふとん乾燥機等として有用である。
【符号の説明】
【００５３】
１  本体ケース
２  吸気口
３  開口部
４  ファン
５  ヒータ部
６  ホース
７  連結部
８  ノズル部
９  吹出口
１０  仕切板部
１１  下部空間
１２  上部空間
１３  孔
１４ａ  第１の傾斜面
１４ｂ  第２の傾斜面
１５  第１の仕切板部
１６  第２の仕切板部
１７  第１の半円切欠き
１８  第２の矩形切欠き
１９  第２の半円切欠き
２０ａ  第１の他方側端部
２０ｂ  第２の他方側端部
２１  受け部
２２  ヒータ
２３  ヒータケース
２４  ヒータケース傾斜面
２５  溝部
２６  溝部端面
２７  第１の仕切板部端面
２８  リブ部
【図１】
2017029500.tif 000003
【図２】
2017029500.tif 000004
【図３】
2017029500.tif 000005
【図４】
2017029500.tif 000006
【図５】
2017029500.tif 000007
【図６】
2017029500.tif 000008
【図７】
2017029500.tif 000009
【図８】
2017029500.tif 000010
【図９】
2017029500.tif 000011